(57)【特許請求の範囲】
【請求項１】
便器本体と、
この便器本体に便器洗浄水を供給する便器洗浄装置と、
前記便器本体を介して投入される屎尿を貯留し、この屎尿を分解する処理材を収納する処理槽と、
前記処理材による屎尿の分解処理を促進する処理装置とを備えたトイレ設備であって、
前記処理槽内に入る前記便器洗浄水の水量に応じて、前記処理装置の運転条件を制御する制御装置を備えていることを特徴とするトイレ設備。
【請求項２】
局部洗浄水を吐水する局部洗浄装置と、
前記局部洗浄水が流入し、且つ、屎尿を分解する処理材を収納する処理槽と、
前記処理材による屎尿の分解処理を促進する処理装置とを備えたトイレ設備であって、
前記処理槽内に入る前記局部洗浄水の水量に応じて、前記処理装置の運転条件を制御する制御装置を備えていることを特徴とするトイレ設備。
【請求項３】
前記局部洗浄装置が組み付けられており、前記処理槽に連通した便器本体を備えていることを特徴とする請求項２記載のトイレ設備。
【請求項４】
前記処理装置は前記処理槽内に収納した処理材を撹拌する撹拌装置であり、前記制御装置は前記撹拌装置の撹拌運転を制御することを特徴とする請求項１乃至３のいずれか１項記載のトイレ設備。
【請求項５】
前記処理装置は前記処理槽内に収納した処理材を加温する加温装置であり、前記制御装置は前記加温装置の温度を制御することを特徴とする請求項１乃至３のいずれか１項記載のトイレ設備。
【請求項６】
前記処理装置は前記処理槽内の空気を外部へ排気する排気装置であり、前記制御装置は前記排気装置の排気運転を制御することを特徴とする請求項１乃至３のいずれか１項記載のトイレ設備。
【請求項７】
前記処理槽内に入る前記便器洗浄水の水量、前記局部洗浄水の水量、及び／又は前記屎尿量は、設定時間内における累積量であることを特徴とする請求項１乃至６のいずれか１項記載のトイレ設備。
【請求項８】
前記制御装置は、前記便器洗浄装置、前記局部洗浄装置、及び／又は前記便器本体の使用状況から前記処理槽内に入る前記便器洗浄水の水量、前記局部洗浄水の水量、及び／又は前記屎尿量を類推することを特徴とする請求項１乃至７のいずれか１項記載のトイレ設備。
【請求項９】
前記便器本体と前記処理槽とを連通する垂直方向に延びた排出路と、この排出路を開閉するフラッパー部材とを備えており、
前記制御装置は、前記フラッパー部材の開閉回数から前記処理槽内に入る前記便器洗浄水の水量、前記局部洗浄水の水量、及び／又は前記屎尿量を類推することを特徴とする請求項１、３、４のいずれか１項記載のトイレ設備。
【請求項１０】
前記便器洗浄装置は、前記便器本体に供給する便器洗浄水の水量が多い大洗浄と、水量が少ない小洗浄とを実行することができ、
前記制御装置は、前記大洗浄及び前記小洗浄の実行回数から前記処理槽内に入る前記便器洗浄水の水量を類推することを特徴とする請求項１、４、９のいずれか１項記載のトイレ設備。
【発明の詳細な説明】
【技術分野】
【０００１】
本発明はトイレ設備に関する。
【背景技術】
【０００２】
特許文献１は従来のトイレ設備を開示している。このトイレ設備は、便器本体、排出路、処理槽、及び撹拌装置を備えている。便器本体は便鉢を有している。排出路は便鉢に連通して下方に延びている。処理槽は、排出路の下端に連通して便器本体の下方に配置され、屎尿を分解する処理材を収納している。処理材は好気性分解菌を担持したおが屑である。撹拌装置は、処理槽内に配置したスクリューを有し、処理槽に収納した処理材を撹拌することができる。
【０００３】
このトイレ設備は、一定時間ごとに撹拌装置のスクリューを回転して、処理材を撹拌することができる。これにより、処理材の水分を蒸発させたり、処理材の好気性分解菌に酸素を供給したりすることができるため、屎尿の分解を促進することができる。
【先行技術文献】
【特許文献】
【０００４】
【特許文献１】特開２００６−１１２０９３号公報
【発明の概要】
【発明が解決しようとする課題】
【０００５】
しかし、特許文献１のトイレ設備では、処理槽内に入る屎尿等の量の多少にかかわらず、一定時間ごとに撹拌装置のスクリューを駆動して処理材を撹拌する。このため、処理槽内に入る水分の多少によって、処理材が、水分過多状態になったり、過乾燥状態になったりするおそれがある。処理材が、水分過多状態になったり、過乾燥状態になったりすると、好気性分解菌の活動が弱まり、屎尿の分解が不充分になるおそれがある。特に、便器洗浄水を利用して便器洗浄を行う水洗式便器や、局部洗浄装置をトイレ設備に採用する場合は、処理槽内に便器洗浄水や局部洗浄水が流入し、処理材が水分過多状態になりやすい。処理材が水分過多状態になると好気性分解菌の活動が弱まり、屎尿の分解が不充分になるおそれがある。
【０００６】
本発明は、上記従来の実情に鑑みてなされたものであって、屎尿の分解を良好に行うことができるトイレ設備を提供することを解決すべき課題としている。
【課題を解決するための手段】
【０００７】
第１発明のトイレ設備は、便器本体と、
この便器本体に便器洗浄水を供給する便器洗浄装置と、
前記便器本体を介して投入される屎尿を貯留し、この屎尿を分解する処理材を収納する処理槽と、
前記処理材による屎尿の分解処理を促進する処理装置とを備えたトイレ設備であって、
前記処理槽内に入る前記便器洗浄水の水量に応じて、前記処理装置の運転条件を制御する制御装置を備えていることを特徴とする。
【０００８】
このトイレ設備では、処理槽内に入る便器洗浄水の水量に応じて、処理槽内に収納した処理材が水分過多状態になったり、過乾燥状態になったりしないように制御装置が処理装置の運転条件を制御することができる。つまり、処理槽内に入る便器洗浄水の水量が多くなるにしたがって、処理材から水分が蒸発し易くなるように処理装置を運転し、処理材が水分過多になることを防止することができる。また、処理槽内に入る便器洗浄水の水量が少ない場合は、処理材から水分が蒸発しすぎないように処理装置を運転し、処理材が過乾燥状態になることを防止することができる。このように、このトイレ設備は処理材が屎尿を良好に分解できる状態を維持することができる。
【０００９】
したがって、第１発明のトイレ設備は屎尿の分解を良好に行うことができる。
【００１０】
第２発明のトイレ設備は、局部洗浄水を吐水する局部洗浄装置と、
前記局部洗浄水が流入し、且つ、屎尿を分解する処理材を収納する処理槽と、
前記処理材による屎尿の分解処理を促進する処理装置とを備えたトイレ設備であって、
前記処理槽内に入る前記局部洗浄水の水量に応じて、前記処理装置の運転条件を制御する制御装置を備えていることを特徴とする。
【００１１】
このトイレ設備では、処理槽内に入る局部洗浄水の水量に応じて、処理槽内に収納した処理材が水分過多状態になったり、過乾燥状態になったりしないように制御装置が処理装置の運転条件を制御することができる。つまり、処理槽内に入る局部洗浄水の水量が多くなるにしたがって、処理材から水分が蒸発し易くなるように処理装置を運転し、処理材が水分過多になることを防止することができる。また、処理槽内に入る局部洗浄水の水量が少ない場合は、処理材から水分が蒸発しすぎないように処理槽を運転し、処理材が過乾燥状態になることを防止することができる。このように、このトイレ設備は処理材が屎尿を良好に分解できる状態を維持することができる。
【００１２】
したがって、第２発明のトイレ設備は屎尿の分解を良好に行うことができる。
【００１３】
前記局部洗浄装置が組み付けられており、前記処理槽に連通した便器本体を備え得る。この場合、使用者は便器本体を利用することができるため、トイレ設備を良好に利用することができる。
【００１８】
前記処理装置は前記処理槽内に収納した処理材を撹拌する撹拌装置であり、前記制御装置は前記撹拌装置の撹拌運転を制御し得る。この場合、処理槽内の水分量が多い場合は、撹拌装置の駆動時間を長くする等、撹拌量を多くする。これによって、処理材から水分を蒸発し易くし、処理材が水分過多になることを防止することができる。また、処理槽内の水分量が少ない場合は、撹拌装置の駆動時間を短くする等、撹拌量を少なくする。これによって、処理材が過乾燥状態になることを防止することができる。このように、このトイレ設備は処理材が屎尿を良好に分解できる状態を維持することができる。
【００１９】
前記処理装置は前記処理槽内に収納した処理材を加温する加温装置であり、前記制御装置は前記加温装置の温度を制御し得る。この場合、処理槽内の水分量が多い場合は、加温装置の温度を高くする。これによって、処理材から水分を蒸発し易くし、処理材が水分過多になることを防止することができる。また、処理槽内の水分量が少ない場合は、加温装置の温度を低くする。これによって、処理材が過乾燥状態になることを防止することができる。このように、このトイレ設備は処理材が屎尿を良好に分解できる状態を維持することができる。
【００２０】
前記処理装置は前記処理槽内の空気を外部へ排気する排気装置であり、前記制御装置は前記排気装置の排気運転を制御し得る。この場合、処理槽内の水分量が多い場合は、排気装置の排気量を多くする。これによって、処理材から水分を蒸発し易くし、処理材が水分過多になることを防止することができる。また、処理槽内の水分量が少ない場合は、排気装置の排気量を少なくする。これによって、処理材が過乾燥状態になることを防止することができる。このように、このトイレ設備は処理材が屎尿を良好に分解できる状態を維持することができる。
【００２１】
前記処理槽内に入る前記便器洗浄水の水量、前記局部洗浄水の水量、及び／又は前記屎尿量は、設定時間内における累積量であり得る。この場合、処理槽内の水分量の多少を適正に把握することができる。つまり、設定時間の間に変化する便器洗浄水の水量等の影響を受けずに、処理槽内に入る便器洗浄水の水量等を判断することができる。
【００２２】
前記制御装置は、前記便器洗浄装置、前記局部洗浄装置、及び／又は前記便器本体の使用状況から前記処理槽内に入る前記便器洗浄水の水量、前記局部洗浄水の水量、及び／又は前記屎尿量を類推し得る。この場合、前記便器洗浄装置、前記局部洗浄装置、又は前記便器本体の使用状況は、これらに設けられた各種センサーを利用して把握される使用回数、及び／又は使用時間等であり、使用回数、及び／又は使用時間に応じて、処理槽内に入る便器洗浄水の水量、局部洗浄水の水量、及び／又は屎尿量を類推することができる。
【００２３】
前記便器本体と前記処理槽とを連通する垂直方向に延びた排出路と、この排出路を開閉するフラッパー部材とを備えており、
前記制御装置は、前記フラッパー部材の開閉回数から前記処理槽内に入る前記便器洗浄水の水量、前記局部洗浄水の水量、及び／又は前記屎尿量を類推し得る。
【００２４】
この場合、フラッパー部材の開閉回数に応じて、処理槽内に入る便器洗浄水の水量、局部洗浄水の水量、及び／又は屎尿量を類推することができる。
【００２５】
前記便器洗浄装置は、前記便器本体に供給する便器洗浄水の水量が多い大洗浄と、水量が少ない小洗浄とを実行することができ、
前記制御装置は、前記大洗浄及び前記小洗浄の実行回数から前記処理槽内に入る便器洗浄水の水量を類推し得る。
【００２６】
この場合、大洗浄及び小洗浄の実行回数に応じて、処理槽内に入る便器洗浄水の水量を類推することができる。
【図面の簡単な説明】
【００２７】
【図１】実施例１のトイレ設備を示す概略図である。
【図２】実施例２のトイレ設備を示す概略図である。
【図３】実施例３のトイレ設備を示す概略図である。
【図４】実施例４のトイレ設備を示す概略図である。
【発明を実施するための形態】
【００２８】
第１発明〜第２発明のトイレ設備を具体化した実施例１〜４を図面を参照しつつ説明する。
【００２９】
＜実施例１＞
実施例１のトイレ設備は、図１に示すように、便器本体１０、便器洗浄装置２０、局部洗浄装置３０、排出路４０、処理槽５０、処理装置である撹拌装置６０、及び制御装置７０を備えている。
【００３０】
便器本体１０は最下端部に垂直方向に貫通した排出口１１Ａを有する便鉢１１を具備している。便器本体１０はトイレルーム内の床Ｆ上に設置されている。便鉢１１は排出口１１Ａに接続部材４１を連結している。接続部材４１は排出口１１Ａを処理槽５０に連通する排出路４０を内部に形成している。
【００３１】
接続部材４１は、上端開口部を排出口１１Ａの外周面に接続し、上端開口部から連続し、下端が開口したすり鉢形状の流入部４２を有している。また、接続部材４１は流入部４２の下端開口よりも下方に円筒状の中間管部４３を有している。中間管部４３は、上端部が内周面から外周面に向けて斜め上方に傾斜した傾斜面を有し、上端開口縁が流入部４２の下端開口縁より外側の上方に位置している。また、中間管部４３は上端部に形成した傾斜面が流入部４２の下端部の外周面との間に隙間を形成している。
【００３２】
接続部材４１は流入部４２の外側面の上部と中間管部４３の外側面とを連結する連結部４４を有している。連結部４４は外側面が円筒状である。接続部材４１は連結部４４の外側面の一部から空気路４５を外側に延ばして形成している。
【００３３】
接続部材４１は、中間管部４３の外周面に連結し、下端が開放した排出部４６を有している。排出部４６は下方に向けて徐々に径が細くなった略筒形状である。排出部４６の下端開口部は床Ｆに設けられた貫通孔５３に連結している。
【００３４】
排出部４６は内部に閉止具８０を取り付けている。閉止具８０は、フラッパー部材８１、支持部材８２、及び錘部材８３を有している。フラッパー部材８１は円盤状の中央部とその外周縁部に連続して斜め上方外側に向けて傾斜した縁部とを有する受け皿形状に形成されている。支持部材８２は、一端にフラッパー部材８１を支持し、他端に錘部材８３を連結している。支持部材８２は錘部材８３側を回動自在に軸支されている。フラッパー部材８１が上昇すると、フラッパー部材８１の上面が中間管部４３の下端縁に当接し、排出路４０を閉鎖する。この状態で、フラッパー部材８１は上面に設定水量の水を貯留することができ、中間管部４３の下端縁がフラッパー部材８１の上面に貯留した水に水没する。これにより、処理槽５０内の臭気が排出路４０を介して立ち昇ることを確実に防止することができる。また、フラッパー部材８１は、設定重量以上の屎尿等を受けると、下降して排出路４０を開放するように錘部材８３の重さが設定されている。また、フラッパー部材８１から屎尿等が落下すると、フラッパー部材８１は上昇して排出路４０を閉鎖する。
【００３５】
空気路４５は、閉止具８０が排出路４０を閉鎖した状態で、連結部４４、中間管部４３の上端部に形成された傾斜面と流入部４２の下端部の外周面との間に形成された隙間、及び流入部４２を介して便鉢１１に連通している。また、空気路４５は先端部を処理槽の上部に連通している。
【００３６】
便器洗浄装置２０は、給水路２１、給水路２１に設けられた開閉弁２２、給水路２１を流れる洗浄水の流量を検知する流量センサーＳ１、及び便鉢１１の上端部の周縁に形成されたリムに便器洗浄水を吐水するリム吐水管２４を有している。給水路２１は水道管Ｓとリム吐水管２４とを連通している。
【００３７】
便器洗浄装置２０はトイレルームの壁面Ｗに取り付けられたリモートコントローラー１によって操作される。リモートコントローラー１は、大洗浄ボタン、及び小洗浄ボタンを有している。大洗浄ボタン、又は小洗浄ボタンが押されると、夫々に応じた開弁信号がリモートコントローラー１から受信部２に送信される。受信部２は受信した開弁信号に応じて夫々の設定時間の間、開閉弁２２を開弁する。大洗浄ボタンが押された場合は、小洗浄ボタンが押された場合に比べ、開閉弁２２は、長い時間、開弁する。つまり、大洗浄ボタンが押されると、便器洗浄装置２０はリム吐水管２４から便鉢１１へ供給する便器洗浄水の水量が多い大洗浄を実行し、小洗浄ボタンが押されると、便器洗浄装置２０はリム吐水管２４から便鉢１１へ供給する便器洗浄水の水量が少ない小洗浄を実行する。大洗浄、又は小洗浄の実行によって、便器洗浄装置２０が便器本体１０の便鉢１１に供給した便器洗浄水は、便鉢１１及び排出路４０を介して処理槽５０内に入る。
【００３８】
局部洗浄装置３０は、流量センサーＳ１より下流側の給水路２１を分岐した局部洗浄用給水路３１、局部洗浄用給水路３１に設けられた開閉弁３２、局部洗浄用給水路３１の下流端に連通した温水タンク３３、及び温水タンク３３に連通した局部洗浄ノズル３４を有している。
【００３９】
局部洗浄装置３０はトイレルームの壁面Ｗに取り付けられたリモートコントローラー１によって操作される。リモートコントローラー１は、局部洗浄ボタン、及び停止ボタンを有している。局部洗浄ボタンが押されると、開弁信号がリモートコントローラー１から受信部２に送信される。受信部２は、開弁信号を受信すると、開閉弁３２を開弁する。これによって、局部洗浄装置３０は、その際に設定されている洗浄強さに応じて、局部洗浄ノズル３４から局部洗浄水を噴出し、局部洗浄を実行する。その後、停止ボタンが押されると、閉弁信号がリモートコントローラー１から受信部２に送信される。受信部２は、閉弁信号を受信すると、開閉弁３２を閉弁する。これによって、局部洗浄装置３０は局部洗浄ノズル３４からの局部洗浄水の噴出を停止して局部洗浄を終了する。局部洗浄の実行によって、局部洗浄装置３０が吐水した局部洗浄水は、便鉢１１及び排出路４０を介して処理槽５０内に入る。
【００４０】
給水路２１に設けられた流量センサーＳ１は、便器洗浄装置２０による大洗浄、小洗浄、及び／又は局部洗浄装置３０による局部洗浄の実行の際に給水路２１を流れる洗浄水の流量を検知する。つまり、便器洗浄装置２０が便器本体１０の便鉢１１に供給し、便鉢１１及び排出路４０を介して処理槽５０内に入る便器洗浄水の流量、及び／又は局部洗浄装置３０が吐水し、便鉢１１及び排出路４０を介して処理槽５０内に入る局部洗浄水の流量を検知する。流量センサーＳ１は、検知した流量に応じて流量信号を制御装置７０に送信する。制御装置７０は、流量センサーＳ１から受信した流量信号に基づいて、設定時間（例えば、１時間）ごとに給水路２１を流れる洗浄水の累積量（水量）を記憶することができる。
【００４１】
処理槽５０は、便器本体１０の下方であって、床Ｆの下方に配置されている。処理槽５０は屎尿を分解する処理材９０を収納している。処理材９０は好気性分解菌を担持したおが屑である。
【００４２】
処理槽５０は処理装置である加温装置（ヒーター５１）を下端部に配置している。ヒーター５１は処理材９０を加温することができる。ヒーター５１は、処理材９０を加温することによって、処理材９０の水分を蒸発させたり、処理材９０の好気性分解菌が活動し易い温度にしたりすることができる。これによって、処理材９０の好気性分解菌が活発に活動し、屎尿の分解を促進させることができる。
【００４３】
また、処理槽５０は処理装置である排気装置（排気ファン５２）を設けている。排気ファン５２は処理槽５０内の空気を外部へ排気することができる。排気ファン５２は、処理槽５０内の空気を外部へ排気することによって、処理材９０から蒸発した水分も外部に排出することができる。これによって、処理材９０の好気性分解菌が活発に活動し、屎尿の分解を促進させることができる。また、排気ファン５２は、処理槽５０内の空気（臭気）を外部へ排気することによって、処理槽５０、空気路４５、接続部材４１、及び便鉢１１を介して、トイレルーム内の臭気も排気することができる。排気ファン５２は、人体検知センサーＳ２が検知するトイレルーム内の使用者の有無に応じて排気量を調整することができる。また、排気ファン５２は、リモートコントローラー１に設けられた脱臭ボタンが押されると、回転数を上げて排気量を多くすることができる。ヒーター５１の温度、及び排気ファン５２の排気量は、制御装置７０によって制御される。
【００４４】
撹拌装置６０は処理槽５０内に配置されている。この撹拌装置６０は、主軸６１、主軸６１に連結した螺旋状の撹拌翼６２、及び主軸６１を回転駆動する撹拌モーターＭを有している。主軸６１は処理槽５０の対面する内壁間に亘って延びている。撹拌装置６０は撹拌モーターＭが駆動することにより、両方向に回転（正転、逆転）し、処理材９０を撹拌することができる。撹拌装置６０が処理材９０を撹拌することによって、処理材９０の水分を蒸発し易くしつつ、処理槽５０内に入った屎尿を処理材９０内に分散させることができる。このため、処理材９０の好気性分解菌が活発に活動し、屎尿の分解を促進させることができる。撹拌モーターＭの動作パターンは制御装置７０によって制御される。
【００４５】
このように構成されたトイレ設備において、表１に示すように、制御装置７０が記憶する設定時間（１時間）ごとの給水路２１を流れる洗浄水（処理槽５０内に入る便器洗浄水、及び／又は局部洗浄水）の累積量（水量）に応じて、その後の設定時間（１時間）の間、制御装置７０は、撹拌モーターＭ、ヒーター５１、及び排気ファン５２を制御する。つまり、便器洗浄装置２０が便器本体１０に供給し、便鉢１１及び排出路４０を介して処理槽５０内に入る便器洗浄水の水量、及び局部洗浄装置３０が吐水し、便鉢１１及び排出路４０を介して処理槽５０内に入る局部洗浄水の水量に応じて、制御装置７０は撹拌モーターＭ、ヒーター５１、及び排気ファン５２を制御する。
【００４６】
【表１】
0005797462.tif 000002
【００４７】
設定時間（１時間）ごとの給水路２１を流れる洗浄水の累積量（水量）が多くなるにつれて、撹拌モーターＭの回転時間（正転、逆転）が長くなり、停止時間が短くなる。つまり、撹拌装置６０の撹拌量が多くなる。また、設定時間（１時間）ごとの給水路２１を流れる洗浄水の累積量（水量）が多くなるにつれて、ヒーター５１の設定値が高温になる。さらに、設定時間（１時間）ごとの給水路２１を流れる洗浄水の累積量（水量）が多くなるにつれて、トイレルーム内に使用者がいない時の排気ファン５２の排気量が多くなる。このように、設定時間（１時間）ごとの給水路２１を流れる洗浄水の累積量（水量）が多くなれば、処理槽５０内に入る洗浄水が多くなるため、撹拌装置６０の撹拌量を多くし、ヒーター５１の温度を上げ、排気ファン５２の排気量を多くする。これによって、処理材９０に含まれる水分を蒸発し易くし、処理材９０が水分過多状態になることを防止する。また、処理剤９０内に屎尿を分散させ、分解し易くする。一方、設定時間（１時間）ごとの給水路２１を流れる洗浄水の累積量（水量）が少ないときは、拌装置６０の撹拌量を少なくし、ヒーター５１の温度を下げ、排気ファン５２の排気量を少なくする。これによって、処理材９０が過乾燥状態になることを防止する。
【００４８】
したがって、実施例１のトイレ設備は屎尿の分解を良好に行うことができる。
【００４９】
また、設定時間（１時間）ごとの給水路２１を流れる洗浄水の累積量（水量）の多少にかかわらず、トイレルーム内に使用者がいる時の排気ファン５２の排気量及び脱臭操作時の排気ファン５２の排気量を、それぞれ一定にしている。これは、使用者が臭気を感じ難くするためにトイレルーム内の臭気を排気することを主目的にして排気ファン５２を駆動するためである。この際、脱臭操作時の排気ファン５２の排気量をより多くしたのは、使用者が臭気を感じてリモートコントローラー１の脱臭ボタンが押された状況であるため、より速やかにトイレルーム内の臭気を排気するためである。
【００５０】
＜実施例２＞
実施例２のトイレ設備は、図２に示すように、給水路２１に流量センサーＳ１を設けていない点、及び、制御装置７１が、便器洗浄装置２０の開閉弁２２の開閉状況、及び局部洗浄装置３０の開閉弁３２の開閉状況、つまり、便器洗浄装置２０及び局部洗浄装置３０の使用状況から処理槽５０内に入る便器洗浄水の水量、及び局部洗浄水の水量を類推する点で実施例１と相違する。他の構成は実施例１と同様であり、同一の構成は同一の符号を付して詳細な説明を省略する。
【００５１】
便器洗浄装置２０は、大洗浄ボタン、又は小洗浄ボタンが押されると、夫々に応じた開弁信号がリモートコントローラー１から受信部３に送信される。受信部３は受信した開弁信号に応じて夫々の設定時間の間、開閉弁２２を開弁し、便器洗浄を実行する。つまり、大洗浄ボタン、及び小洗浄ボタンが押されると、夫々の開弁時間に応じた便器洗浄水をリム吐水管２４から便鉢１１へ供給し、便器洗浄装置２０は大洗浄、又は小洗浄を実行する。この際、便器洗浄装置２０は、開閉弁２２の開弁時間によって、大洗浄及び小洗浄の水量を制御しているため、水道管Ｓの給水圧が変動すること等によって、実際に便器洗浄装置２０が便器本体１０に供給する便器洗浄水の水量は設定水量に対して変動する。つまり、処理槽５０内に入る便器洗浄水の水量が変動する。
【００５２】
開弁信号を受信した受信部３は、大洗浄、又は小洗浄に応じた信号を制御装置７１に送信する。制御装置７１は大洗浄、又は小洗浄に応じた信号を設定時間（１時間）ごとに夫々カウントし、記憶することができる。つまり、制御装置７１は、設定時間（１時間）ごとの大洗浄の実行回数、及び小洗浄の実行回数を記憶する。これによって、制御装置７１は、大洗浄及び小洗浄の夫々の実行回数に、大洗浄及び小洗浄の夫々の１回あたりの設定水量を乗じることによって、設定時間（１時間）ごとの便器洗浄装置２０が便器本体１０の供給する便器洗浄水の累積量（水量）、つまり、処理槽５０内に入る便器洗浄水の累積量（水量）を類推することができる。
【００５３】
また、局部洗浄装置３０は、局部洗浄ボタンが押されると、開弁信号がリモートコントローラー１から受信部３に送信される。受信部３は、開弁信号を受信すると開閉弁２３を開弁する。これによって、局部洗浄装置３０は、その際に設定されている洗浄強さに応じた流量の局部洗浄水を局部洗浄ノズル３４から噴出して局部洗浄を実行する。この際、水道管Ｓの給水圧が変動すること等によって、実際に局部洗浄装置３０が吐水する局部洗浄水の流量は設定流量に対して変動する。つまり、処理槽５０内に入る局部洗浄水の水量が変動する。
【００５４】
その後、停止ボタンが押されると、閉弁信号がリモートコントローラー１から受信部３に送信される。受信部３は、閉弁信号を受信すると、開閉弁３２を閉弁する。これによって、局部洗浄装置３０は局部洗浄ノズル３４からの局部洗浄水の噴出を終了して局部洗浄を終了する。
【００５５】
受信部３は、開弁信号、閉弁信号、及びその際の洗浄強さに応じた流量信号を制御装置７１に送信する。制御装置７１は、開弁信号から閉弁信号までの時間を計測し、計測した時間に、流量信号に応じた設定流量を乗じることによって、設定時間（１時間）ごとの局部洗浄装置３０が吐水した局部洗浄水の累積量（水量）、つまり、処理槽５０内に入る局部洗浄水の累積量（水量）を類推することができる。
【００５６】
制御装置７１は、このようにして類推した処理槽５０内に入る便器洗浄水の累積量（水量）と、局部洗浄水の累積量（水量）とを設定時間（１時間）ごとに合計して記憶することができる。
【００５７】
このように構成されたトイレ設備において、表１に示すように、制御装置７１が記憶する設定時間（１時間）ごとの類推した処理槽５０内に入る便器洗浄水と、局部洗浄水とを合計した累積量（水量）に応じて、その後の設定時間（１時間）の間、制御装置７０は、撹拌モーターＭ、ヒーター５１、及び排気ファン５２を制御する。つまり、類推した処理槽５０内に入る便器洗浄水の水量、及び局部洗浄水の水量に応じて、制御装置７１は撹拌モーターＭ、ヒーター５１、及び排気ファン５２を制御する。
【００５８】
設定時間（１時間）ごとに類推した処理槽５０内に入る便器洗浄水と、局部洗浄水とを合計した累積量（水量）が多くなれば、撹拌装置６０の撹拌量を多くし、ヒーター５１の温度を上げ、排気ファン５２の排気量を多くする。これによって、処理材９０に含まれる水分を蒸発し易くし、処理材９０が水分過多状態になることを防止する。また、処理剤９０内に屎尿を分散させ、分解し易くする。一方、設定時間（１時間）ごとに類推した処理槽５０内に入る便器洗浄水と、局部洗浄水とを合計した累積量（水量）が少ないときは、撹拌装置６０の撹拌量を少なくし、ヒーター５１の温度を下げ、排気ファン５２の排気量を少なくすることによって、処理材９０が過乾燥状態になることを防止する。
【００５９】
したがって、実施例２のトイレ設備も屎尿の分解を良好に行うことができる。
【００６０】
＜実施例３＞
実施例３のトイレ設備は、図３に示すように、便器洗浄装置１００が洗浄水を再利用するものである点、排出路４０を閉鎖した状態にフラッパー部材８１をロックする図示しないロック機構を備えている点、フラッパー部材８１の開閉状態を検知する開閉センサーＳ３を備えている点、及びフラッパー部材８１の開閉回数から処理槽５０内に入る便器洗浄水の水量、局部洗浄水の水量、及び／又は屎尿量を類推する点で実施例２と相違する。他の構成は実施例２と同様であり、同一の構成は同一の符号を付して詳細な説明を省略する。
【００６１】
便器洗浄装置１００は、排水路１０１、貯水槽１０２、及びポンプＰを有した給水路１０３を具備している。排水路１０１は接続部材４１の連結部４４の外側面の一部から外側に延びている。この排水路１０１はトイレルームの壁面Ｗを貫通して屋外に設置した貯水槽１０２に連通している。貯水槽１０２はポンプＰを有する給水路１０３に連通している。給水路１０３はリム吐水管２４に連通している。排水路１０１は上流部に空気路１４５を連通している。
【００６２】
便器洗浄装置１００は、ポンプＰを駆動することによって貯水槽１０２に貯水した便器洗浄水（中水）をリム吐水管２４から便鉢１１に供給して便器洗浄を実行することができる。
【００６３】
ロック機構は、便器洗浄装置１００が便器洗浄を実行中、又は局部洗浄装置３０が局部洗浄を実行中にフラッパー部材８１をロックする。フラッパー部材８１がロックされた後、フラッパー部材８１が受けた便器洗浄水、又は局部洗浄水は、接続部材４１の中間管部４３の上端部に形成された傾斜面と流入部４２の下端部の外周面との間に形成された隙間から排水路１０１に流入する。排水路１０１に流入した便器洗浄水は貯水槽１０２に貯留される。貯水槽１０２はフィルター部材及び塩素滅菌装置が組み込まれており、便器洗浄水、及び局部洗浄水を浄化した中水を貯留する。このようにして、便器洗浄装置１００は、便器洗浄水、及び局部洗浄水を便器洗浄に再利用することができる。貯水槽１０２は水道管Ｓに連通している。このため、貯水槽１０２に貯水する中水が少なくなったときは、水道管Ｓから水道水を貯水槽１０２内に給水することができる。
【００６４】
ロック機構がフラッパー部材８１のロックを解除した状態で、フラッパー部材８１の上面に貯留した便器洗浄水等の水位は、流入部４２の下端よりも下方になるように設定されている。このため、フラッパー部材８１が排出路４０を閉鎖した状態で、便鉢１１と空気路１４５とは連通している。また、空気路１４５が排水路１０１に連通しているため、排気ファン５２を駆動すると、排水路１０１を利用してトイレルーム内の臭気等を排気することができる。仮に、フラッパー部材８１の上面に貯留した便器洗浄水等の水位が設定水位よりも高くなると、フラッパー部材８１は下降して排出路４０を開放し、便器洗浄水等が処理槽５０内に落下するように、錘部材８３の重さが設定されている。このように、フラッパー部材８１の上面に貯留した便器洗浄水等の水位が流入部２１より上昇しないため、トイレルーム内の空気を便鉢１１、接続部材４１、排水路１０１及び空気路１４５を介して屋外に確実に排気することができる。
【００６５】
開閉センサーＳ３は、フラッパー部材８１が下降（錘部材８３が上昇）し、排出路４０を開放したことを検知すると、開放信号を受信部４に送信する。開放信号を受信した受信部４は、制御装置７２に開放信号を送信する。制御装置７２は、設定時間（１時間）ごとに受信した開放信号をカウントし、記憶することができる。これによって、制御装置７２は、フラッパー部材８１が開放した回数に、フラッパー部材８１が下降する設定重量を乗じることによって、処理槽５０内に入った便器洗浄水、局部洗浄水、及び屎尿の総重量を類推することができる。つまり、制御装置７２は、フラッパー部材８１の開閉回数から処理槽５０内に入った便器洗浄水の水量、局部洗浄水の水量、及び屎尿量の累積量を類推することができる。
【００６６】
制御装置７２は、このようにして類推した処理槽５０内に入る便器洗浄水の水量、局部洗浄水の水量、及び屎尿量の累積量を設定時間（１時間）ごとに合計して記憶することができる。
【００６７】
このように構成されたトイレ設備において、制御装置７２が記憶する設定時間（１時間）ごとの類推した処理槽５０内に入る便器洗浄水の水量、局部洗浄水の水量、及び屎尿量の累積量に応じて、その後の設定時間（１時間）の間、制御装置７２は、撹拌モーターＭ、ヒーター５１、及び排気ファン５２を制御する。つまり、類推した処理槽５０内に入る便器洗浄水の水量、局部洗浄水の水量、及び屎尿量に応じて、制御装置７２は撹拌モーターＭ、ヒーター５１、及び排気ファン５２を制御する。
【００６８】
設定時間（１時間）ごとの類推した処理槽５０内に入る便器洗浄水の水量、局部洗浄水の水量、及び屎尿量の累積量が多くなれば、撹拌装置６０の撹拌量を多くし、ヒーター５１の温度を上げ、排気ファン５２の排気量を多くする。これによって、処理材９０に含まれる水分を蒸発し易くし、処理材９０が水分過多状態になることを防止する。また、処理剤９０内に屎尿を分散させ、分解し易くする。一方、設定時間（１時間）ごとの類推した処理槽５０内に入る便器洗浄水の水量、局部洗浄水の水量、及び屎尿量の累積量が少ないときは、撹拌装置６０の撹拌量を少なくし、ヒーター５１の温度を下げ、排気ファン５２の排気量を少なくすることによって、処理材９０が過乾燥状態になることを防止する。
【００６９】
したがって、実施例３のトイレ設備も屎尿の分解を良好に行うことができる。
【００７０】
＜実施例４＞
実施例４のトイレ設備は、図４に示すように、便器洗浄装置と、閉止具（フラッパー部材）とを備えていない点、及び人体検知センサーＳ２及び便座及び便蓋の開閉状態を検知する図示しない便座・便蓋開閉センサーによって把握することができる便器本体１０の使用状況から処理槽５０内に入る屎尿量、及び局部洗浄水の水量を類推する点で実施例２と相違する。他の構成は実施例２と同様であり、同一の構成は同一の符号を付して詳細な説明を省略する。
【００７１】
人体検知センサーＳ２は、便器本体１０の先端部よりも遠距離の使用者と、近距離の使用者を判別することができる。つまり、便器本体１０の先端部よりも遠距離の使用者を検知した際と、近距離の使用者を検知した際とは、夫々に応じた人体検知信号を制御装置７３に送信する。また、便座・便蓋開閉センサーは、便座、又は便蓋６が起立した開状態にあるか、倒伏した閉状態にあるかを検知し、夫々に応じた開閉検知信号を制御装置７３に送信する。
【００７２】
人体検知センサーＳ２、及び便座・便蓋開閉センサーによって、使用者が小便のみで便器本体１０を使用したか、大便で便器本体１０を使用したかを判別することができる。つまり、人体検知センサーＳ２が便器本体１０の先端部より遠距離の使用者を検知し、かつ便座・便蓋開閉センサーが便座及び便蓋６が起立した開状態であることを検知しており、その状態が所定時間継続した場合は、制御装置７３は男性が小便をしたと判断する。また、人体検知センサーＳ２が便器本体１０の先端部より近距離で使用者を検知し、かつ便座・便蓋センサーが便座が倒伏した閉状態であり、便蓋６が開状態であることを検知しており、その状態の継続時間が所定時間より短ければ、制御装置７３は小便のみをしたと判断し、所定時間より長ければ、制御装置７３は大便をし、局部洗浄装置３０が使用されたと判断する。
【００７３】
制御装置７３は、設定時間（１時間）ごとに便器本体１０が小便で使用された回数、及び大便で使用された回数をカウントし、記憶することができる。これによって、制御装置７２は、小便で使用された回数に、小便の平均的な排泄量を乗じ、かつ大便で使用された回数に、大便の平均的な排泄量を乗じたものを合計することによって、設定時間（１時間）ごとの処理層５０内に入った屎尿量を類推することができる。また、制御装置７３は、大便で使用された回数に、局部洗浄装置３０が吐水する局部洗浄水の平均的な水量を乗じることによって、設定時間（１時間）ごとの局部洗浄装置３０が吐水した局部洗浄水の累積量（水量）、つまり、処理槽５０内に入る局部洗浄水の累積量（水量）を類推することができる。
【００７４】
制御装置７３は、このようにして類推した処理層５０内に入る屎尿量の累積量、及び局部洗浄水の累積量（水量）を設定時間（１時間）ごとに合計して記憶することができる。
【００７５】
このように構成されたトイレ設備において、制御装置７３が記憶する設定時間（１時間）ごとの類推した処理槽５０内に入る屎尿量の累積量、及び局部洗浄水の累積量（水量）に応じて、その後の設定時間（１時間）の間、制御装置７２は、撹拌モーターＭ、ヒーター５１、及び排気ファン５２を制御する。
【００７６】
設定時間（１時間）ごとの類推した処理槽５０内に入る屎尿量の累積量、及び局部洗浄水の累積量（水量）が多くなれば、撹拌装置６０の撹拌量を多くし、ヒーター５１の温度を上げ、排気ファン５２の排気量を多くする。これによって、処理材９０に含まれる水分を蒸発し易くし、処理材９０が水分過多状態になることを防止する。また、処理剤９０内に屎尿を分散させ、分解し易くする。一方、設定時間（１時間）ごとの類推した処理槽５０内に入る屎尿量の累積量、及び局部洗浄水の累積量（水量）が少ないときは、撹拌装置６０の撹拌量を少なくし、ヒーター５１の温度を下げ、排気ファン５２の排気量を少なくすることによって、処理材９０が過乾燥状態になることを防止する。
【００７７】
したがって、実施例４のトイレ設備も屎尿の分解を良好に行うことができる。
【００７８】
本発明は上記記述及び図面によって説明した実施例１〜４に限定されるものではなく、例えば次のような実施例も本発明の技術的範囲に含まれる。
（１）実施例１では、トイレ設備は、便器洗浄装置、及び局部洗浄装置を備えているが、便器洗浄装置、又は局部洗浄装置のどちらか一方のみを備えていてもよい。局部洗浄装置のみを備える場合、局部洗浄用給水路に流量センサーを設けるとよい。
（２）実施例２では、トイレ設備は、便器洗浄装置、及び局部洗浄装置を備えているが、便器洗浄装置、又は局部洗浄装置のどちらか一方のみを備えていてもよい。
（３）実施例１及び２では、接続部材はフラッパー部材を有する閉止具を備えているが、閉止具を備えていなくてもよい。この場合、空気路を備えなくてもよい。
（４）実施例３では、トイレ設備は、便器洗浄装置、及び局部洗浄装置を備えているが、便器洗浄装置、又は局部洗浄装置のどちらも備えていなくてもよい。
（５）実施例４では、トイレ設備は局部洗浄装置を備えているが、局部洗浄装置を備えなくてもよい。
（６）実施例１〜４では、処理層は加温装置であるヒーター、及び排気装置である排気ファンを設けているが、ヒーター、又は排気ファンのどちらも設けなくてもよい。
【符号の説明】
【００７９】
１０…便器本体
１１…便鉢
２０…便器洗浄装置
３０…局部洗浄装置
４０…排出路
５０…処理槽
５１…ヒーター（加温装置）
５２…排気ファン（排気装置）
６０…撹拌装置
７０、７１、７２、７３…制御装置
８１…フラッパー部材
９０…処理材
【図１】
0005797462.tif 000003
【図２】
0005797462.tif 000004
【図３】
0005797462.tif 000005
【図４】
0005797462.tif 000006